(57)【要約】      （修正有）【課題】飲み口部の周囲が開放的で顔などが接触することなく飲みやすいとともに、部品点数が少なく製造が容易でコストの低い飲料用容器を提供する。【解決手段】飲料用容器として、内容液が収容され、上部に開放口部１が形成された容器本体Ａと、開放口部の周縁の容器本体の上端面３をシールし、開放口部を覆って内容液を封止するシール部材Ｂと、上端面の周縁の一部に立設され、容器本体と一体に成型された飲み口部Ｃとからなり、飲み口部は、内周面が内容液の流路を形成する案内面１０とされ、両側端縁が漸次低くなる段差部１２とされている。【選択図】図１
2011051601.tif 000002
【特許請求の範囲】
【請求項１】
内容液が収容され、上部に開放口部が形成された容器本体と、
前記開放口部の周縁の容器本体の上端面をシールし、前記開放口部を覆って内容液を封止するシール部材と、
前記上端面の周縁の一部に立設され、容器本体と一体に成型された飲み口部とからなり、
飲み口部は、内周面が内容液の流路を形成する案内面とされ、両側端縁が漸次低くなる段差部とされていることを特徴とする飲料用容器。
【請求項２】
飲み口部は、容器本体の上端面の周縁から立ち上がった周壁に、外方に向けて折り返した折り返し部または壁厚を厚くした肉厚部が形成されていることを特徴とする請求項１記載の飲料用容器。
【請求項３】
飲み口部の両側端縁の段差部は、なだらかに傾斜していることを特徴とする請求項１または２記載の飲料用容器。
【請求項４】
飲み口部の段差部に続いて、飲み口部の反対側の上端面周縁に、飲み口部より高さの低い液だれ防止壁を立設したことを特徴とする請求項１〜３のいずれかに記載の飲料用容器。
【請求項５】
シール部材は、基材と表面材が剥離可能に積層され、基材側が容器本体の上端面に貼着された積層シートであり、表面材を剥離除去したときに、基材の飲み口部に接する部位に開口部を形成したことを特徴とする請求項１〜４のいずれかに記載の飲料用容器。
【請求項６】
容器本体の上端部に係合してシール部材との間の密閉空間を形成する封止部材と、
開封前には該密閉空間に配置され、開封時には該密閉空間から取り出されて、シール部材を切り裂いて開封する切断部材とをさらに備えたことを特徴とする請求項１〜４のいずれかに記載の飲料用容器。
【発明の詳細な説明】
【技術分野】
【０００１】
本発明は、飲料の流路を形成する案内面を有する飲み口部を設けた飲料用容器、とくに容器本体の上端部に一体成形された前記飲み口部を設けた飲料用容器に関するものである。
【背景技術】
【０００２】
従来、内容液を封入する容器上部のシール部材を開口し、内容液を流出させて飲料に供する飲料用容器として、飲み口部を備えた容器が知られている（たとえば特許文献１参照）。
【０００３】
特許文献１記載の容器は、蓋材１１０で開口部を密閉する容器本体１００の上部に、傾斜した天板部１１と支持筒部１２とを有するキャップ本体１０を取付け、天板部１１の扇状の窓部５０にヒンジ部を介して回転自在に接続された切断具３０を押し込むことによって、蓋材１１０を切断するとともに、天板部１１の窓部５０を開放して円弧状の飲み口部５１を形成し、内容物を注出するものである。
【先行技術文献】
【特許文献】
【０００４】
【特許文献１】特開２００７−３９０９４号公報
【発明の概要】
【発明が解決しようとする課題】
【０００５】
しかしながら、上記特許文献１記載の容器では、容器本体とは別体のキャップ本体に飲み口部を形成している。
そのため、部品点数が多くなるとともに、飲み口部を口唇に押し当てても変形しないだけのキャップ本体の強度が必要となるので、コストが高くなる。
また、飲み口部は、キャップ本体の天板部の一部を扇状に切り欠いた窓部の内側に形成されているから、天板部に口や顔が接触して飲みにくいという問題があり、切断具が窓部に残ったままなので、さらに飲み口部を狭くし、内容液を流出させる上でもじゃまになるという問題があった。
【０００６】
本発明は、これらの問題を解決することを課題とし、飲み口部の周囲が開放的で顔などが接触することなく飲みやすいとともに、部品点数が少なく製造が容易でコストの低い飲料用容器を提供することを目的とする。
【課題を解決するための手段】
【０００７】
本発明は、これらの課題を解決するため、飲料用容器として、内容液が収容され、上部に開放口部が形成された容器本体と、前記開放口部の周縁の容器本体の上端面をシールし、前記開放口部を覆って内容液を封止するシール部材と、前記上端面の周縁の一部に立設され、容器本体と一体に成型された飲み口部とからなり、飲み口部は、内周面が内容液の流路を形成する案内面とされ、両側端縁が漸次低くなる段差部とされていることを特徴とする構成を採用する。
【０００８】
飲料用容器の実施形態として、飲み口部は、容器本体の上端面の周縁から立ち上がった周壁に、外方に向けて折り返した折り返し部または壁厚を厚くした肉厚部が形成されていることを特徴とする構成、さらに、飲み口部の両側端縁の段差部は、なだらかに傾斜していることを特徴とする構成を採用する。
【０００９】
また、飲料用容器の別実施形態として、飲み口部の段差部に続いて、飲み口部の反対側の開放口部周縁に飲み口部より高さの低い液だれ防止壁を立設したことを特徴とする構成を採用する。
【００１０】
さらに、飲料用容器の別実施形態として、シール部材は、基材と表面材が剥離可能に積層され、基材側が容器本体の上端面に貼着された積層シートであり、表面材を剥離除去したときに、基材の飲み口部に接する部位に開口部を形成したことを特徴とする構成を採用する。
また、飲料用容器の別実施形態として、容器本体の上端部に係合してシール部材との間の密閉空間を形成する封止部材と、開封前には該密閉空間に配置され、開封時には該密閉空間から取り出されて、シール部材を切り裂いて開封する切断部材とをさらに備えたことを特徴とする構成を採用する。
【発明の効果】
【００１１】
本発明は、飲み口部は、容器本体と一体に設けられているから一体成形で製造することができ、キャップなどの他の部品を必要としないので工程も少なくて済み、製造が容易でコストを低くすることができる。
また、飲み口部が、容器本体の上端面の周縁の一部に立設され、両側端縁が漸次低くなる段差部とされているから、飲み口部の周囲が開放的で、飲み口部以外に口や顔が接触することがなく飲みやすい。
【００１２】
飲み口部の周壁に折り返し部または肉厚部が形成されている実施形態では、飲み口部の強度が高められ、口唇が強く押し当てられても変形することはない。
また、飲み口部の段差部がなだらかに傾斜している実施形態では、飲み口部の周囲がより開放的となり、誤って顔を接触させても圧迫感が少ない。
飲み口部の反対側に高さの低い液だれ防止壁を立設した実施形態では、振動などによって内容液がシール部材上にこぼれても、容器外に流出することがないから、手を汚すようなことがない。
【００１３】
さらに、シール部材を基材と表面材からなる積層シートとして、表面材を剥離除去したときに、基材に開口部を形成するようにした実施形態では、開封操作を容易にすることができるとともに、開口部を小さくすることにより内容液の流出量を制御しやすくすることができる。
また、切断部材を容器とは別体にして、開封時に取り出して使用するようにしたから、内容液を飲むときにじゃまになることがない。
【図面の簡単な説明】
【００１４】
【図１】本発明の飲料用容器の第１実施例であり、開封前の状態を示す説明図で、 （ａ）は上面図、（ｂ）は断面側面図である。
【図２】本発明の飲料用容器の第１実施例の変形例であり、開封前の状態を示す説明図で、（ａ）は断面側面図、（ｂ）は図（ａ）の一部を拡大した図である。
【図３】本発明の飲料用容器の第２実施例で、開封前の状態を示す断面側面図である。
【図４】本発明の飲料用容器の第２実施例で、開封時の状態を示す断面側面図である。
【図５】本発明の飲料用容器を積み重ねて貯蔵した状態を示す断面側面図である。
【発明を実施するための形態】
【００１５】
次に、本発明の飲料用容器の実施例について、図面を参照して説明する。
【実施例１】
【００１６】
図１に示すように、Ａは容器本体、Ｂはシール部材、Ｃは飲み口部である。
容器本体Ａは、上部に開放口部１を形成し、下部の底部２から上方に向けてやや広がる円錐台形状を有するカップ状をなし、その上端部には開放口部１の周縁に水平な上端面３を形成して外方に延びるフランジ部４が設けられている。
上端面３には、開放口部１を覆って内容液を封止するシール部材Ｂが接着または溶着などにより貼着され、さらに上端面３の周縁の一部からは、飲み口部Ｃを形成する平面視円弧状の周壁５が立設されている。
【００１７】
容器本体Ａの内面６の下端部には、底部２の周縁の複数個所から、垂直な内壁面７を立ち上げて内面６から突出するスタッキングリブ８が設けられている。
スタッキングリブ８の上端は、図５に示すように、複数の容器本体Ａを重ねて保管する場合に、複数の容器本体Ａ相互の密着を防ぐ段部９が形成されている。
【００１８】
飲み口部Ｃは、周壁５の内周面が内容液の流路を形成する案内面１０とされ、その上端は、所定の中心角度αを有する円弧範囲にわたって一定の高さに形成された頂部１１と、頂部１１の両側端から高さが漸次低くなるように、なだらかに傾斜した段差部１２とからなっている。
頂部１１の範囲を定める中心角度αは適宜決定されるが、９０°以上、好ましくは１２０°〜１５０°とするのがよい。
【００１９】
飲み口部Ｃの周壁５には、外方に向けて折り返した折り返し部１３が設けられている。
飲み口部Ｃをこのように補強することによって、口唇が押し当てられ、飲む動作によって加わる力に耐えることができる。
飲み口部Ｃの周壁５を補強する手段としては、折り返し部１３に代えて、周壁５の壁厚を厚くした肉厚部を形成してもよい。
【００２０】
シール部材Ｂは、飲み口部Ｃの反対側に容器本体Ａの上端面３より突出して、開封時にシール部材Ｂを引きはがすためのタブ１４を設けている。
シール部材Ｂは、全体を容器本体Ａの上端面３から引きはがし、開放口部１全体を開口させてもよいが、内容液の流量を制御しやすいように、開放口部１より小さい開口部１５を形成するようにしてもよい。
そのために、シール部材Ｂは、基材と表面材が剥離可能に積層された積層シートを用い、基材側を容器本体Ａの上端面３に貼着し、開口部１５の輪郭に対応する切り込みを入れ、表面材を剥離除去したときに、同時に開口部１５に対応する基材を除去する、いわゆるハーフカットを施して開口部１５を形成することができる。
また、開口部１５は、飲み口部Ｃの略中心付近で飲み口部Ｃに接する部位に設けられている。
【００２１】
第１実施例の変形例として、図２に示すように、タブ１４は容器本体Ａの上端面３の周縁から垂下させずに、上方に折り返してシール部材Ｂの上面に仮止めしてもよい。
このようにすれば、容器の搬送等において、タブ１４が擦れて傷が付いたり、ちぎれたりして、開封が不可能になることはなく、貯蔵・保管が容易となる。
【実施例２】
【００２２】
図３，４に示すように、第２実施例は、シール部材Ｂａを破断して開封するための切断部材Ｄを、容器本体Ａａの上端部に係合する封止部材Ｅによって形成される密閉空間内に備えたものである。
図中、前記第１実施例と同様の構成については同一の名称として符号には添え字ａを付して示して簡単に説明し、相違する構成について詳しく説明する。
【００２３】
容器本体Ａａは、実施例１と同様に、上方に開放口部１ａを有するカップ状をなし、開放口部１ａ周縁には、外方に向けて延びる水平な上端面３ａが形成されたフランジ部４ａが設けられている。
該上端面３ａの周縁の一部には、実施例１と同様な飲み口部Ｃａが設けられ、飲み口部Ｃａと反対側の上端面３ａ周縁には、飲み口部Ｃａより高さの低い液だれ防止壁１６を立設している。
【００２４】
液だれ防止壁１６は、その両側端縁において、飲み口部Ｃａの頂部１１ａの両側端からなだらかに傾斜した段差部１２ａに連続している。
図では、液だれ防止壁１６は、壁面を外方に折り返して形成されているが、このような形状に限定されず、液の容器からの流出を防ぐ高さとフランジ部４ａに必要な強度を与える形状であればよい。
この液だれ防止壁１６を設けることによって、容器を開封する時や振動が加わった時に、内容液がシール部材Ｂａ上にこぼれても、容器外に流出することがなく、手を汚したりすることがない。
図１には液だれ防止壁１６が示されていないが、実施例１においても、該液だれ防止壁１６を設けることが可能であることはもちろんである。
【００２５】
封止部材Ｅは、飲み口部Ｃａおよび液だれ防止壁１６の外周、すなわちフランジ部４ａの外周縁に係合して、シール部材Ｂａとの間に密閉空間１７を形成する。
該密閉空間１７内には、開封時にシール部材Ｂａを切り裂くための切断部材Ｄが備えられている。
封止部材Ｅは、切断部材Ｄを収容するとともに、飲み口部Ｃａなどの容器上面を清潔に保つカバーの役割も果たす。
【００２６】
切断部材Ｄは、開封前はシール部材Ｂａや封止部材Ｅ等に仮止めされていてよいが、開封時には、封止部材Ｅを除去すると同時に取り出される。
切断部材Ｄは、シール部材Ｂａを破断させるための刃先１８と、開封操作を行う者の手に把持される把持部１９とを備えている。
図４に示すように、開封時には、切断部材Ｄの把持部１９を持って刃先１８をシール部材Ｂａに押し当てて引くことにより、シール部材を切り裂いて開口を形成することができる。
なお、切断部材Ｄとしては、汎用の種々の形態のものが使用可能である。
【００２７】
この実施例の場合、切断部材Ｄは容器とは別体として使用時に取り出すようにしたので、開封後は廃棄すればよく、内容液を飲むときにじゃまになるようなことはない。
また、シール部材Ｂａなどには開封のための手段を必要としない。
【産業上の利用可能性】
【００２８】
本発明の飲料用容器は、流動性の内容物を充填密封した飲料用容器であれば、広く使用できる。
特に、ストローなどを使用できないスープや果実入りジュースなどの飲料用容器に適用して好適である。
【符号の説明】
【００２９】
Ａ  Ａａ    容器本体
Ｂ  Ｂａ    シール部材
Ｃ  Ｃａ    飲み口部
Ｄ          切断部材
Ｅ          封止部材
１  １ａ    開放口部
２          底部
３  ３ａ    上端面
４  ４ａ    フランジ部
５          周壁
６          内面
７          垂直な内壁面
８          スタッキングリブ
９          段部
１０          案内面
１１  １１ａ  頂部
１２  １２ａ  段差部
１３          折り返し部
１４          タブ
１５          開口部
１６          液だれ防止壁
１７          密閉空間
１８          刃先
１９          把持部
【図１】
2011051601.tif 000003
【図２】
2011051601.tif 000004
【図３】
2011051601.tif 000005
【図４】
2011051601.tif 000006
【図５】
2011051601.tif 000007